(57)【特許請求の範囲】
【請求項１】
インバーターの入出力間にコンデンサーと圧電振動子を並列接続した回路と、
第１のコイル、第２のコイルを直列接続した回路を備え、
前記第１のコイル、前記第２のコイルの接続点と回路の接地点間にパスコンデンサーを備え、前記接続点と前記接地点間を交流に対して短絡させ、さらに電源と接地間にはコンデンサーを挿入し、交流に対して短絡させ、前記インバーターの電源端子と接地端子間に電圧を印加し、発振回路として構成することを特徴とした圧電振動回路。
【請求項２】
前記インバーターの入出力間のコンデンサーは、同調キャパシターまたは電圧制御可変容量ダイオードであることを特徴とする請求項１に記載の圧電振動回路。
【請求項３】
前記インバーターを構成する半導体は、ＦＥＴ、またはバイポーラトランジスタであることを特徴とする請求項１に記載の圧電振動回路。
【請求項４】
前記圧電振動子は、水晶の結晶体、またはセラミックの焼結体であることを特徴とする請求項１に記載の圧電振動回路。
【発明の詳細な説明】
【技術分野】
【０００１】
高速データ通信等の基地局装置、周波数測定器等の周波数の基準に使用される圧電発振器および圧電効果を利用してなるセンサー向け圧電発振器に適応する。本発明は、物理計測及び化学計測用の圧電振動用の発振回路に係り、さらに詳しくは、粘度センサー、流速センサー、圧力センサー、温度センサー、振動センサー、浮遊微粒子センサー、揮発性有機化学物質ガス等の気体に対する化学センサー、免疫センサー等として特に流体中に浸漬されて用いられる圧電振動子センサーを発振させるのに好適な圧電振動回路に関するものである。
【背景技術】
【０００２】
近年、圧電振動子である水晶振動子を用いた微量天秤と呼ばれる水晶振動子微量天秤（Quartz Crystal Microbalance: QCM）が注目を集めている。このQCMは、水晶振動子の電極に物質が付着して生ずる表面の質量を、水晶振動子など周波数変換素子の共振周波数変化として検出するものである。QCMはナノグラム以下の質量検出が可能である所から、バイオセンサーや化学センサーなどとして医学や生化学、食品や環境測定などの広い分野において微量物質の検出に応用されている。例えば、水晶振動子を液相用質量測定装置として、水晶振動子を液体中に浸して使用する場合がある。このとき、空気中と液体中とでは、振動子の実効的な等価回路定数（クリスタルインピダンス、以下「ＣＩ値」と表記）が大幅に増加し、液体中におけるＣＩ値が空気中よりも約10から30倍も大きくなるため、液体中では水晶振動子を発振させることが困難であった。
【０００３】
従来技術としてＣＭＯＳインバーターによるコルピッツ型発振回路を提示する。さらに、下記特許文献を提示する。特許文献1ならびに特許文献2では、インバーターの入出力間にバイアス設定用抵抗R2あるいは R4を挿入している。またインバーターの入出力を接地から直流電位の分離を得るため、C2、 C3、 Cp1、 Cp2のパスコンデンサを挿入している。これに対して本発明では抵抗を使用する必要が無い、さらにパスコンデンサに相当するコンデンサは一つである。微調整の必要のあるコンデンサと抵抗の本数を減少させたことにより回路が簡素化される。
【０００４】
図１にコルピッツ型と呼ばれる従来型の圧電発振回路の回路図を示す。また、図2に同等価発振回路-1を示す。キルヒホッフの法則を適用し式(数1)を得る。
【０００５】
【数１】
0005861221.tif 000002
【０００６】
同じく式(数2)の特性回路方程式を得る。
【０００７】
【数２】
0005861221.tif 000003
【０００８】
式(数3)のように各インピダンスの設定を行い、式(数2)に代入して、図3に同等価発振回路―3に示す等価回路抵抗RC及び、等価回路キャパシタンスCCを得る。結果を式(数4)に示す。
【０００９】
【数３】
0005861221.tif 000004
【００１０】
【数４】
0005861221.tif 000005
【００１１】
コルピッツ回路においてモーションアームからの回路側の合成等価回路抵抗RPCCi、合成等価キャパシタンスCPCCiを求め、式(数6)を得る。
【００１２】
【数５】
0005861221.tif 000006
【００１３】
【数６】
0005861221.tif 000007
【００１４】
キャパシターCの値をパラメータとして合成等価抵抗RPCCiと合成等価キャパシタンスを計算すると、Cを大きくすることで、CPCCiは大きくなるのであるが、RPCCiは小さくなる。即ち、発振可能領域が外部から加わる浮遊容量等によるキャパシタンスの増加によって制約される。10 MHzでRPCCiは-1 kΩ以下である。図4に定常発振時の発振回路の近似等価回路―3、図5に近似等価回路―4を示す。以下では、回路側に含めて合成された等価抵抗RCCi、等価キャパシタンスCCCi、等価インダクタンスLCCi、コルピッツ回路の回路側に含めて合成した等価抵抗RpCCi、等価キャパシタンスCpCCiの導出過程を示し、図10において本発明による発振回路のインピダンスと比較している。コルピッツ型発振回路は低周波領域において大きな負性抵抗を示す。0.6 MHzにおいて、負性抵抗の最大値RpCCimaxは近似的に-27kΩに等しい。周波数に対する依存性は3から15 pFまでの個々の等価キャパシタンスCPCCiに対して大きく依存しない。
【先行技術文献】
【特許文献】
【００１５】
【特許文献１】特開2008-263272公報
【特許文献２】特開2008-311980公報
【発明の概要】
【発明が解決しようとする課題】
【００１６】
インバーターを用いて大きな負性抵抗を得、さらに広い発振周波数可変幅を得る圧電発振回路を提供する。及び、大きな負性抵抗を得ることができることを論理的に証明する。
【課題を解決するための手段】
【００１７】
上記の目的を達成するため、圧電振動回路として、インバーターの入出力間にコンデンサーと圧電振動子を並列接続した回路と、第１のコイル、第２のコイルを直列接続した回路を備え、第１のコイル、第２のコイルの接続点と回路の接地点間にパスコンデンサーを備え、接続点と接地点間を交流に対して短絡させ、さらに電源と接地間にはコンデンサーを挿入し、交流に対して短絡させ、前記インバーターの電源端子と接地端子間に電圧を印加し、発振回路として構成することを特徴とする。
【００１８】
またインバーターの入出力間のコンデンサーは、同調キャパシターまたは電圧制御可変容量ダイオードであることを特徴とする。
このとき、インバーターを構成する半導体は、ＦＥＴ、またはバイポーラトランジスタであることを特徴とする。
【００１９】
また圧電振動子は、水晶の結晶体、またはセラミックの焼結体である。
図6に本発明のうちインバーターの入出力間のコンデンサーは、同調キャパシターとした発振回路を示す。インバーターの入出力間に圧電振動子を挿入し、さらに同インバーターの入力にインダクタンス、同じく同インバーターの出力にインダクタンスを接続し、インダクタンス同士を接続する中点と回路の接地の間にキャパシタンスを接続し発振回路を構成する。また、インバーターの電源端子と接地端子間に直流電圧、および交流電圧に対し短絡とする十分大きなキャパシタンスを挿入する。発明になる回路は回路に付加したCXまたはC4とL2、 L3によるLC共振状態と、水晶振動子の共振状態の結合よりなる2重共振型回路を構成する。2重共振型発振回路の負性抵抗の最大値RCCimaxは10 MHzにおいて近似的に-7 kΩに等しい。さらに、共鳴周波数の近傍において狭い周波数領域において急激な変化を示す。等価抵抗はインダクタンスの特性を示し高周波領域において、容量性の特性を示す。図7、8、9に本発明回路の等価回路を示す。本発明回路では、特許文献1ならびに特許文献2で示された回路と同等あるいは同等以上の機能をより少ない部品で実現している。同図の抵抗はインダクタンスL2および L3のQ値(=ωL/R)を与える抵抗である。各電流源からの電流と電位差により式(数7)が得られる。定電流源のコンダクタンスを合成すると式(数9)の総合コンダクタンスが得られる。
【００２０】
【数７】
0005861221.tif 000008
【００２１】
【数８】
0005861221.tif 000009
【００２２】
【数９】
0005861221.tif 000010
【００２３】
キルヒホフの電圧則・電流則を適用し、基礎方程式をなす同次1次方程式を得る。
【００２４】
【数１０】
0005861221.tif 000011
【００２５】
【数１１】
0005861221.tif 000012
【００２６】
同式の解が恒常的に0でない条件により特性方程式(数12)が得られる。
【００２７】
【数１２】
0005861221.tif 000013
【００２８】
次式に示すインピダンスを規定して代入し、等価的抵抗と等価的インダクタンスを求める。
式(数13)はQ値の定義である。
【００２９】
【数１３】
0005861221.tif 000014
【００３０】
各インピダンスを内部抵抗とリアクタンス分に分解して、式(数14)を得る。
【００３１】
【数１４】
0005861221.tif 000015
【００３２】
定常発振回路の等価回路から次の式を得る。
【００３３】
【数１５】
0005861221.tif 000016
【００３４】
【数１６】
0005861221.tif 000017
【００３５】
【数１７】
0005861221.tif 000018
【００３６】
等価回路-３においてZxtは水晶振動子の等価的インピダンスである。C0を含めて合成してCx、ドライバー回路のインピダンスRc、Lcを含めて合成された等価的抵抗とインダクタンスにすることで、RCCi、 LCCiを発見する。角周波数ωを用いて、インダクタンスLcは
キャパシタンスCcに変換できる。同様にLCCiをCCCiに変換できる。回路側に並列容量を含めて合成された合成等価抵抗RCCiと合成等価キャパシタンスCCCiの定義は以下の式(数19)、 (数20)に与えられている。モーションアームからみた合成等価抵抗RCCiと、合成等価キャパシタンスCC、 CCCiと合成等価インダクタンスLC、 LCCiの関係を以下の式(数18)に示す。
【００３７】
【数１８】
0005861221.tif 000019
【００３８】
合成等価抵抗および合成等価キャパシタンスを示す。
【００３９】
【数１９】
0005861221.tif 000020
【００４０】
【数２０】
0005861221.tif 000021
【００４１】
図10に本発明のうちインバーターの入出力間のコンデンサーを、単一の可変容量ダイオード周波数制御方式での構成とした発振回路を示す。以下、この回路方式を単一ダイオード周波数制御とする。単一ダイオード周波数制御方式は構成する部品点数が少ない特徴があるが、制御電圧の増加する側の変化と減少する側の変化の場合電圧に対する静電容量の変化の様子が異なる。従って、周波数制御において制御電圧勾配の上昇あるいは下降部分の片側だけを常に用いて周波数成御を行う。
【００４２】
この問題点を解決するために、２個の可変容量ダイオードを逆極性に接続して制御バイアスを加える方式を２重可変容量ダイオード周波数制御方式での構成とした発振回路を図11に示す。本回路図ではBack-to-Backでの接続としたが、Head-to-Headの接続として制御電圧は逆極性とした構成としてもよい。
【００４３】
図10の電圧制御水晶発振回路を用いて試験を行った。回路の回路定数は以下のとおりである。回路定数:パスキャパシターC2 = 10 μF、 C3、 C4、 C8、 C9、 C10= 1000 pF、 C6 = 10 pF、 C7 = 0.1 μF;可変容量ダイオードCx1、 Cx2: 1SV149B、CMOS インバーター IC1: TC7SHU04; L2、 L3= 2.7 μH; Rf4、 Rf5  = 100 Ω; R6、 R7、 R8 = 1 MΩ  とした。
【００４４】
図12は、単一可変容量ダイオード周波数制御による周波数可変の様子である。可変容量ダイオード電圧制御発振回路における観測された周波数ジャンプと周波数偏差の絶対値  ■：バイアス電圧上昇時の周波数偏差fvd1(↑)、□：バイアス電圧下降時の周波数偏差fvd1(↓)、●：周波数偏差fvd1(↑)の正規化|Δfvd1(↑)/f1|、○：周波数偏差fvd1(↓)の正規化|Δfvd1(↓)/f1|、回路定数：L2、L3= 2.7 μH、Q2、Q3 = 100、Co=10 pF、GM = 10 mA/V。 水晶共振器の等価回路定数: C0 = 5.122 pF、L1 = 12.71 mH、C1= 24.61 pF、R
1 = 24.15Ω、 f1 = 8.9989 MHzとした。
【００４５】
図13は理論計算による負性抵抗と周波数可変の変位率を示す。Cxの関数としてバイアス電圧下降時の発振周波数と正規化された周波数偏差、等価負性抵抗である。静電容量Cxに対する負性抵抗の依存性について、バイアス電圧上昇時において、負性抵抗が最大値36Ωに達する前に発振周波数はロックされる。バイアス電圧下降時において負性抵抗Rdciの最大値10kΩにおいて水晶共振が起こる。同じ値Rdciが水晶共振の周波数fxtがLC共振の周波数に等しいときに同じ値が観測された。バイアス電圧上昇中と降下中において、LC共振から水晶共振へのモード遷移が同じ周波数で観測された。
【００４６】
図14は、2重可変容量ダイオード周波数制御方式の周波数制御特性を示す。水晶共振状態がより小さいキャパシタンス値において起き、周波数の偏差が101 ppmの急峻な変化を示すまで連続的に発振が起きる。
【００４７】
図15は理論解析を示す。Cxが約56 pFにおいて水晶共振が観測された。ここで、2重共振はより広いキャパシタンスの範囲で現れる。この点において、Rdciの絶対値は約10 kΩである。このときに水晶共振のモーションアームは共振状態から離れ、発振モードはLC発振に遷移する。 
【００４８】
図16、17では、可変容量ダイオード制御回路において周波数の差の制御電圧に対する依存性の直線性の検討結果を示す。単一可変容量ダイオード制御回路では水晶共振とLC共振の不一致を示しているが、２重可変容量ダイオード制御回路でLC共振がロックする発振周波数と水晶共振周波数が一致する。さらに、本発明の2重共振水晶発振回路は、制御電圧が3から7V の範囲で比例係数が約1の線形性を示す。
【００４９】
単一可変容量ダイオード制御においてはバイアスの増減において示す周波数変移が異なるのに対して２重可変容量ダイオード制御においては全く同じ周波数変位を示す。
電圧制御発振回路において周波数の安定性は重要である。センサーの駆動回路においては測定の分解能や再現性に関わり、通信用途においては隣接する周波数バンド間の分離に関わる。水晶発振周波数から離れた周波数におけるＬＣ発振と水晶発振周波数近傍の周波数ロック状態における短期安定性の指標としてアラン分散を示す。ここで、アラン分散は式（数21）のように定義される。２重共振のアラン分散は10-10の大きさを示した。この測定において、環境ドリフトはシールドケースによって減少された。この結果は標準的な水晶発振回路と比較して合理的な値を示している。
【００５０】
図18、19はバイアス電圧降下時のアラン分散σを示している。有限長のサンプルに対するアラン分散は式（数21）で定義される。回路の発振周波数fτnはカウンターによって指示された周波数である。τはゲート時間、ｎは順序を表す番号である。発振周波数の偏差は共振周波数f0と偏差Δfτnである。正規化された周波数変移はyτnのように無次元量で定義される。
【００５１】
【数２１】
0005861221.tif 000022
【００５２】
正規化されて無次元化された周波数変位が yτn である。
【００５３】
【数２２】
0005861221.tif 000023
【００５４】
【数２３】
0005861221.tif 000024
【００５５】
単一可変容量ダイオード制御の場合の短期安定度を示す。水晶発振周波数にロックされているときアラン分散は一般に１０−９〜１０−８台の大きさ、ゲート時間の範囲によっては１０-１０を示す。次に、２重可変容量ダイオード制御の短期安定度を示す。おなじく、アラン分散は一般に１０−９〜１０−８台の大きさを示す。
【００５６】
水中に振動子を浸漬した場合のモデル化について、説明する。水晶振動子が液体中に浸漬された場合、リーク電流の増大や並列容量の増大、粘性によるエネルギーの散逸その他が生じ、誘電率の増大により電極間の並列容量C0の増大が生じる。この静電容量の増大はC0Wと記述される。リーク電流は抵抗RWで記述される。液体中における粘性の増大は等価的抵抗の増大を生じる。増大した等価抵抗はR1Wで記述される。2重共振型発振回路は液体中の水晶振動子に接続されている。C0Wと C0 をRCとLCに導入等価的抵抗をR1CCi、等価的キャパシタンスを C1CCiと記述すると、L1CCi は C1CCiと共振角周波数 ωの項によって表される。RW を R1CCi と C1CCiに含めて合成して RWCCi と CWCCiが求められる。
【００５７】
【数２４】
0005861221.tif 000025
【００５８】
【数２５】
0005861221.tif 000026
【００５９】
【数２６】
0005861221.tif 000027
【００６０】
【数２７】
0005861221.tif 000028
【００６１】
【数２８】
0005861221.tif 000029
【００６２】
【数２９】
0005861221.tif 000030
【発明の効果】
【００６３】
本発明の圧電振動回路により、液体媒質中における誘電率あるいは電気伝導度の変化を発振周波数の変化として検出することができる。水中では、微小な電気伝導度の変化として、金属イオン、ＯＨイオンなどの定量が可能であるため、水中におけるイオン反応のモニターに使用できる。強磁場化で水晶振動子の発振周波数が影響を受けないため、強磁場中の液体浸漬環境において同様の測定が可能である。    
【００６４】
また気体中において大面積の電極を有する水晶振動子は電極間容量の増加によって発振できなくなることがあるが、大面積の電極間容量を負荷容量としてとらえた場合、本発明による回路で励起可能である。
【００６５】
さらに同調キャパシターを電圧制御可変容量ダイオードに変更することで、センサー駆動回路として用いた場合、従来の２重共振回路によって実現していた大きな負性抵抗によって液体媒質中での連続発振が可能、回路定数の可変による水晶共振周波数から低周波側への発振周波数の追尾に加えて、電圧調整により自動的な追尾が可能となる。
【００６６】
また同調用静電容量を取り替える場合、電源を１度オフにする必要があるが、連続的に可変できるため、センサー駆動回路を動作状態で周波数を変化させることができる。水晶発振回路の同調領域の外側ではＬＣ発振に自動的に移行するため、連続周波数可変範囲が著しく広くなるという効果をもたらす。
【図面の簡単な説明】
【００６７】
【図１】従来型発振回路の回路図
【図２】従来型回路の等価回路-1
【図３】従来型回路の等価回路-2
【図４】従来型回路の等価回路-3
【図５】従来型回路の等価回路-4
【図６】本発明になる発振回路の回路図
【図７】本発明になる発振回路の等価回路-1
【図８】本発明になる発振回路の等価回路-2
【図９】本発明になる発振回路の等価回路-3
【図１０】単一可変容量ダイオード周波数制御方式での構成とした発振回路
【図１１】２重可変容量ダイオード周波数制御方式とした発振回路
【図１２】単一可変容量ダイオード周波数制御方式の周波数制御特性
【図１３】周波数制御特性の理論解析結果
【図１４】２重可変容量ダイオード周波数制御方式の周波数制御特性
【図１５】周波数制御特性の理論解析結果
【図１６】単一可変容量ダイオード制御における線形性の観測結果
【図１７】２重可変容量ダイオード制御における線形性の観測結果
【図１８】単一可変容量ダイオード制御でのバイアス電圧降下時のアラン分散σ
【図１９】２重可変容量ダイオード制御でのバイアス電圧降下時のアラン分散σ
【図２０】従来型回路（Colpitts回路）と発明になる発振回路(Double resonance)の負性抵抗ならびに等価容量の比較
【図２１】従来型回路（Colpitts回路）の負性抵抗の並列容量C0をパラメータとした周波数依存性
【図２２】本発明回路(Double resonance)の負性抵抗の並列容量C0をパラメータとした周波数依存性
【図２３】従来型回路（Colpitts回路）の負性抵抗の並列容量Gmをパラメータとした周波数依存性（回路定数： Gm パラメータとして変化させる; C0 は0 pF。 C2、C3 ＝20 pF、 R2 ＝1 MΩ）
【図２４】本発明回路(Double resonance)の負性抵抗の並列容量Ｇｍをパラメータとした周波数依存性（回路定数: パラメータとして変化させる; C0 は0 pF。L2、L3 = 30 μH; Q値 Q2 、Q3= 100）
【図２５】水中浸漬時の水晶振動子モデル
【図２６】水中浸漬時の水晶振動子モデルを用いた発振回路の等価回路-1
【図２７】水中浸漬時の水晶振動子モデルを用いた発振回路の等価回路-2
【図２８】水中浸漬時の水晶振動子モデルを用いた発振回路の等価回路-3
【図２９】水中における発振の場合の負性抵抗の周波数の関数としての提示回路定数  実線 CX= 0 pF; 破線 15 pF; 1点鎖線 30 pF; RW = 10 kΩ  一定  その他の定数: C0W =30 pF; Gm ＝10 mA/V; L2 、 L3 ＝10 μH; Q値 Q2 、Q3＝100。
【図３０】水中発振の場合の負性抵抗の周波数関数による表示回路定数  実線 RW= 10kΩ; 破線 3 kΩ; 1点鎖線 1 kΩ; Cx = 30 pF  一定。 その他の回路定数 C0W = 30 pF; Gm= 10 mA/V; L2 、L3 = 10 μH; Q値 Q2 、Q3= 100。
【図３１】水中の圧電振動励振の実施概要
【図３２】水中における実験結果の提示
【図３３】空気中における実験結果の提示
【実施例１】
【００６８】
図21に示すように図6に示す回路を作製し、圧電振動素子3を容器4内の水5に浸漬して実験を行った。発振回路1は液面直上に配置した。
水中における実験結果を図22に示す。図中の○は回路のバイアス電流、△は非共振時のL/C共振周波数、□は水晶振動子の2重共振(Double resonance)周波数、20 pFにおける共振周波数の跳びによる2重共振の始まりを示している。周波数の固定（Frequency locking）が20 pFから36 pFの間で観測された。20 pFにおいて、バイアス電流が突然増大し、つぎに、バイアス電流は次第に減少して行く。L/C共振の共振周波数はキャパシターCXによって調整された。
【００６９】
表1は実験に使用した水晶振動子の等価回路定数である。
【００７０】
【表１】
0005861221.tif 000031
【実施例２】
【００７１】
図６の回路を作製し、空気中における実験結果を図23に示す。図中の○は回路のバイアス電流、△は非共振時のL/C共振周波数、□は水晶振動子の2重共振の周波数、4 pFにおける共振周波数の跳びによる2重共振の始まりの例を示している。周波数の固定(Frequency locking)が4 pFから40 pFの間で観測された。L/C共振の共振周波数がキャパシターCXによって調整された。4 pFにおいて、バイアス電流が突然増大し、つぎに、バイアス電流は次第に減少して行く。水中発振と空中発振実験において同じ水晶振動子を使用した。本発明
になる発振回路において、水晶振動子の電極部分を両面とも水中に浸漬している。液体用途の片面だけを露出したQCM、(One Face Open QCM) に対して、本発明回路の実験では両面が液体媒質に触れている。従来型のコルピッツ型発振回路は水中に両面の電極を浸漬すると発振が停止するのに対して、本発明になる発振回路において、水晶振動子の電極部分を両面とも水中に浸漬しても発振特性が得られる。
【符号の説明】
【００７２】
１  発振回路
２  出力
３  圧電振動素子
４  液体容器
５  液体（水）
【図１】
0005861221.tif 000032
【図２】
0005861221.tif 000033
【図３】
0005861221.tif 000034
【図４】
0005861221.tif 000035
【図５】
0005861221.tif 000036
【図６】
0005861221.tif 000037
【図７】
0005861221.tif 000038
【図８】
0005861221.tif 000039
【図９】
0005861221.tif 000040
【図１０】
0005861221.tif 000041
【図１１】
0005861221.tif 000042
【図１２】
0005861221.tif 000043
【図１３】
0005861221.tif 000044
【図１４】
0005861221.tif 000045
【図１５】
0005861221.tif 000046
【図１６】
0005861221.tif 000047
【図１７】
0005861221.tif 000048
【図１８】
0005861221.tif 000049
【図１９】
0005861221.tif 000050
【図２０】
0005861221.tif 000051
【図２１】
0005861221.tif 000052
【図２２】
0005861221.tif 000053
【図２３】
0005861221.tif 000054
【図２４】
0005861221.tif 000055
【図２５】
0005861221.tif 000056
【図２６】
0005861221.tif 000057
【図２７】
0005861221.tif 000058
【図２８】
0005861221.tif 000059
【図２９】
0005861221.tif 000060
【図３０】
0005861221.tif 000061
【図３１】
0005861221.tif 000062
【図３２】
0005861221.tif 000063
【図３３】
0005861221.tif 000064